(57)【特許請求の範囲】
【請求項１】
一壁面に送風機能付の脱臭装置を設けるとともに、前記一壁面と対向するように間隔を空けて仕切壁を設けることにより、前記一壁面と前記仕切壁との間に収納スペースを形成し、
前記脱臭装置に設けられた排気口と対向する仕切壁の部位が開閉自在な開口部とされており、
前記脱臭装置は、その上端に前記排気口、その下端に吸気口を有し、
前記仕切壁の下端部分には、前記収納スペースと前記仕切壁で仕切られた他方の空間との間を通じる通気開口が設けられていることを特徴とする収納装置。
【請求項２】
請求項１において、
前記排気口には、送風方向を可変自在とした送風方向切換手段が設けられていることを特徴とする収納装置。
【請求項３】
請求項１又は請求項２において、
前記脱臭装置には、静電霧化装置が内蔵されていることを特徴とする収納装置。

【発明の詳細な説明】
【技術分野】
【０００１】
本発明は、脱臭装置を備えた収納装置に関する。
【背景技術】
【０００２】
従来より、衣服や靴などを収納するキャビネット内にあっては、衣服や靴などの収納物に不着した臭いをとるため、脱臭装置を設置することがなされている。
脱臭装置としては、例えば酸化チタン触媒などが施されたフィルタや活性炭など臭い成分を吸着する吸着剤などを用いて構成されたものが知られており、キャビネット内の空気を脱臭装置を通じて循環させることにより脱臭を行なう。
また近年では、脱臭効果をより向上させるため、このような脱臭装置に放電電極が保持している水分を霧化させ、これによりナノメートルサイズの帯電微粒子水を生成する静電霧化装置が内蔵されたものなどが提案されている。
【０００３】
例えば下記特許文献１には、静電霧化装置によって生成される帯電微粒子水が衣類収納庫内に放出され、衣類収納庫内の細部に不着した臭いを効果的に除去できることが記載されている。
またここには衣類消臭スペースと衣類収納スペースとを仕切る仕切り部を設け、衣類消臭スペースという他の収納スペースとは隔離したスペースに静電霧化装置を設置することが記載されている。これによれば、臭いが気になる衣類を衣類消臭スペースに収納すれば、臭いが気になる衣類のみを集中して効果的に臭いを除去することができる。
【０００４】
一方、このようなキャビネット内に設けられる脱臭装置は、専らキャビネット内を脱臭するために機能するように構成されており、キャビネットが設置された空間においては、個別の消臭手段或いは脱臭手段がとられている。
【先行技術文献】
【特許文献】
【０００５】
【特許文献１】特開２００６−６１４０９号公報
【発明の概要】
【発明が解決しようとする課題】
【０００６】
上記特許文献１には、衣類収納庫内を効果的に脱臭することは提案されているが、衣類収納庫が設置されている例えば居室空間も同じひとつの脱臭装置で脱臭するというものではない。
【０００７】
本発明は、上記実情に鑑みなされたものであり、収納スペースと仕切壁で仕切られた他方の空間の脱臭を行なうことができる収納装置を提供することを目的とする。
【課題を解決するための手段】
【０００８】
本発明に係る収納装置は、一壁面に送風機能付の脱臭装置を設けるとともに、前記一壁面と対向するように間隔を空けて仕切壁を設けることにより、前記一壁面と前記仕切壁との間に収納スペースを形成し、前記脱臭装置に設けられた排気口と対向する仕切壁の部位が開閉自在な開口部とされており、前記脱臭装置は、その上端に前記排気口、その下端に吸気口を有し、前記仕切壁の下端部分には、前記収納スペースと前記仕切壁で仕切られた他方の空間との間を通じる通気開口が設けられていることを特徴とする。
【０００９】
本発明において、前記排気口には、送風方向を可変自在とした送風方向切換手段が設けられているものとしてもよい。
また本発明において、前記脱臭装置には、静電霧化装置が内蔵されているものとしてもよい。
【発明の効果】
【００１０】
本発明に係る収納装置によれば、収納スペースと仕切壁で仕切られた他方の空間とをひとつの脱臭装置によって脱臭することができる。
【図面の簡単な説明】
【００１１】
【図１】本発明の第１の実施形態に係る収納装置を模式的に示す縦断面図である。
【図２】（ａ）及び（ｂ）は同収納装置を模式的に示す平面図であり、仕切壁の開閉状態を説明する図である。
【図３】同収納装置における一壁面に埋設された脱臭装置の正面図である。
【図４】同脱臭装置の排気口を示す一部拡大断面図である。
【図５】本発明の第２の実施形態に係る収納装置を模式的に示す縦断面図である。
【発明を実施するための形態】
【００１２】
以下に本発明における第１の実施形態の一例について、図１〜図４に基づいて説明する。
本実施形態における収納装置１は、一壁面２に送風機能付の脱臭装置４を設けるとともに、一壁面２と対向するように間隔を空けて仕切壁３を設けることにより、一壁面２と仕切壁３との間に収納スペース５を形成し、脱臭装置４に設けられた排気口４０と対向する仕切壁３の部位が開閉自在な開口部３０とされている。
ここに示す収納装置１は、玄関に設置された例を示しており、仕切壁３によって２つの空間が形成され、一方が収納スペース５、仕切壁３で仕切られた他方の空間が玄関スペース６となっている例を示している。
収納スペース５内には、図１に示すように衣服や靴などの収納物７が収納できるようハンガーバー７０や棚７１が設けられている。
また図例の収納装置１は、図２（ａ）、（ｂ）に示すように矩形の空間とされ四周は壁面で仕切られた例を示しているが、これに限られるものではない。例えば収納スペース５以外の玄関スペース６には玄関扉（不図示）が設けられていてもよく、また廊下などへ続く上がり框が設けられたオープン空間としてもよい。
【００１３】
一壁面２と対向して設けられる仕切壁３は、２枚の引き戸で開閉自在に構成されており、仕切壁３を構成する引き戸の開閉によって収納スペース５に収納物７を出し入れすることができる。
一壁面２には、脱臭装置４の大きさ、形状などに合わせて形成された凹所２ａが設けられ、この凹所２ａに脱臭装置４が埋設される。
ここで脱臭装置４は、縦長で扁平矩形状の薄型パネル状からなるので、一壁面２に後付けした場合でも、収納スペース５を十分確保することができるが、図例のように脱臭装置４を一壁面２に埋設した場合は、収納スペース５の領域が脱臭装置４の設置によって減ってしまうことがなく、収納スペース５をより有効に活用できる。
また、脱臭装置４は、脱臭装置４に設けられた排気口４０が、仕切壁３を構成する引き戸が開放された際に形成される開口部３０と対向する位置に埋設される。
【００１４】
図２（ａ）は、仕切壁３を構成する引き戸で開口部３０が閉じられた状態を示しており、このとき収納スペース５は閉塞された空間となる。よって、この閉塞空間となった収納スペース５内の脱臭を脱臭装置４によって効果的に行なうことができる。また収納スペース５内の一壁面２に埋設された脱臭装置４が仕切壁３によって玄関スペース６側からはみえないので、玄関まわりをすっきりと構成することができる。
図２（ｂ）は、仕切壁３を構成する引き戸で開口部３０が開放された状態を示しており、このとき収納スペース５は一部が開放された空間となる。上述したように脱臭装置４の排気口４０は開口部３０と対向する位置に埋設されているので、図２（ｂ）に示すように仕切壁３が開放されると、脱臭装置４によって脱臭された空気はスムーズに玄関スペース６側に放出される。
このように仕切壁３の開閉によって、収納スペース５内の空気を排気したり、玄関スペース６の空気を収納スペース５内に取り込むことができる。
【００１５】
ここで仕切壁３の下端部分に、収納スペース５と玄関スペース６との間を通じる通気開口３１を設けてもよい。
これによれば、常時収納スペース５内に空気を取り込むことができ、通気性のよい収納スペース５とすることができ、湿気がこもってしまうことを防止することができる。
また通気開口３１の形成位置は、図例に限定されるものではなく、脱臭装置４の吸気口４１に対向する位置に形成してもよい。
これによれば、開口部３０が閉じられた状態でも、通気開口３１を通じて玄関スペース６側の空気を取り込むことができる。
【００１６】
次に脱臭装置４について図１、図３、図４を参照しながら、さらに説明する。
ここに示す脱臭装置４は、一壁面２に装置本体の表面が沿うよう鉛直に立てて設置され、縦長で扁平矩形状のものを例示している。
この脱臭装置４は、上下に長い中間部４４、並びにこの中間部４４の上下にそれぞれ接続された上側外郭部４６及び下側外郭部４７から装置本体が構成され、装置本体内空間に設けられた内部送風路４２と、内部送風路４２内に設けられた脱臭部１０と、装置本体表面の上端に開口された排気口４０と、排気口４０の背面側近傍に設けられる静電霧化装置８と、装置本体表面の下端に開口された吸気口４１と、吸気口４１の近傍に設けられた送風機能としてのシロッコファン４３とを備えている。排気口４０及び吸気口４１は、装置本体の上下に離間して形成されており、内部送風路４２と連通して設けられる。
なお、ここでは脱臭装置４の例として静電霧化装置８が内蔵されている例を示しているが、静電霧化装置８が内蔵されておらず、脱臭部１０で脱臭を行なうものとしてもよい。また送風機能としては、シロッコファン４３に限定されるものではなく、設置場所も図例に限定されるものではない。
【００１７】
下側外郭部４７は、前方及び上方に向けて開口し、シロッコファン４３等を収容するケーシング４７ａと、このケーシング４７ａの前方開口を塞ぐ前面カバー４７ｂとを備え、この前面カバー４７ｂに、横長矩形状に形成された吸気口４１が設けられている。
吸気口４１には、複数の羽板を並設して構成されたルーバー４７ｃが設けられており、吸気口４１の背面側には、図１に示すように、シロッコファン４３が設けられている。
吸気口４１の背面側近傍には、塵埃等の捕捉性を有したフィルタを配設してもよい。ここに設けられるフィルタとして、脱臭性を有した酸化チタン触媒されたフィルタや活性炭のフィルタを用いれば、吸気口４１から吸気された空気がフィルタを通じて脱臭され、脱臭部１０での脱臭がより効果的となる。
シロッコファン４３は、装置本体の横幅に応じて、左右方向に複数個、設置されており、前方側から吸入した空気を上方、すなわち、中間部４４の内部空間に向けて吐出する構成とされている。
【００１８】
中間部４４に配された内部送風路４２には、活性炭などの脱臭剤が収容された脱臭部１０が配設されている。脱臭部１０は、内部送風路４２を通じる空気を滞らせることなく脱臭しながら、排気口４０側へ送風される構造であれば、どのようなものでもよい。例えば上述の脱臭性を有したフィルタで脱臭部１０を構成してもよい。
またこの脱臭部１０にシリカゲルなどの調湿剤を収容してもよく、この場合は、脱臭だけでなく、収納スペース５及び玄関スペース６の調湿も行なうことができる。
【００１９】
上側外郭部４６は、前方及び下方に向けて開口した静電霧化装置８等を収容するケーシング４６ａと、このケーシング４６ａの前方開口を塞ぐ前面カバー４６ｂと、この前面カバー４６ｂに横長矩形状に形成された排気口４０と、排気口４０の一部を覆うように配設されたカバー４６ｃと、内部送風路４２内を上方に向けて送風された空気を排気口４０へと案内する凹湾曲形状の湾曲区画部材４６ｄとを備えている。
【００２０】
カバー４６ｃの背面側には、帯電微粒子水を吐出する静電霧化装置８が設けられている。静電霧化装置８は、図４に示すように、ピン状の放電電極（霧化電極）８０と、この放電電極８０に対向して配置され、放電電極８０と同軸状の開口を有してリング形状とされた対向電極８１とを備えている。この静電霧化装置８は、これら放電電極８０と、対向電極８１との間に高電圧を印加することで放電現象を生じさせ、放電電極８０に保持された水分を静電霧化させることで、帯電微粒子水を電極間から吐出する構成とされている。
この帯電微粒子水は、ナノメートルサイズの粒子径のもの（例えば、５ｎｍ〜２０ｎｍ程度）を含む帯電した微粒子液滴であり、空気中にミスト状態で浮遊可能なものである。
【００２１】
放電電極８０に水分を保持させる手段としては、放電電極８０の基端部に連設された冷却手段（不図示）により、放電電極８０を冷却することで、放電電極８０廻りの空気に含まれる水分（水蒸気）を放電電極８０の表面に結露させて保持させるようにしてもよい。
または、上記のような態様に代えて、放電電極を多孔質セラミック等の多孔質体で構成し、この放電電極の基端部に、液体を貯留する液体供給部を接続し、この液体供給部からの液体を、放電電極の毛細管現象により吸い上げて、その先端部に水分を保持させる態様としてもよい。
【００２２】
上記構成とされた静電霧化装置８は、放電電極８０を囲むように形成された対向電極８１の帯電微粒子水吐出口としての開口が内部送風路４２に向けて開口するように設置されており、内部送風路４２を送風される空気の気流方向に対して交差する方向に向けて帯電微粒子水を吐出するようになっている。
本実施形態では、図４に示すように、静電霧化装置８の帯電微粒子水吐出方向と、内部送風路４２を送風される空気の気流方向とが直交するように、静電霧化装置８を上側外郭部４６の内方空間に設置している。そして静電霧化装置８から吐出された帯電微粒子水は、この吐出方向に対して直交する方向に送風される内部送風路４２の空気の気流に乗って排気口４０から収納スペース５、または収納スペース５を介して玄関スペース６へと放出される。
【００２３】
上側外郭部４６のカバー４６ｃの中央部位には、図３及び図４に示すように、送風方向切換手段としてのルーバー９が設けられており、このルーバー９は複数の羽板９０を並設して構成されている。ルーバー９の各羽板９０は、略直線状かつ略平板状に形成され、排気口４０の長手方向に架け渡された芯棒９１によって軸支されており、排気口４０から排気される空気の送風方向を可変自在としている。
図４には、略水平方向に送風する場合におけるルーバー９の羽根９０の動きを実線で示し、斜め下方に送風する場合におけるルーバー９の羽根９０の動きを２点鎖線で示している。
送風方向の調整及び変更は、開口部３０の開閉により手動または自動で行なえるように構成される。例えば開口部３０が閉じられた状態のときは、収納スペース５の脱臭を効果的に行なうため、排気口４０から斜め下方に向けて送風されるようにルーバー９の羽根９０の向きを切換えるようにしてもよい。
また例えば開口部３０が開放された状態のときは、玄関スペース６にスムーズに排気口４０から排気される空気が送風されるように、ルーバー９の羽根９０の向きが略水平方向に切換えるようにしてもよい。
さらに例えば収納スペース５内に衣服などが収納されているか否かを感知するセンサー（不図示）を設け、感知状況に応じて送風方向を切換えるようにしてもよい。
【００２４】
中間部４４は、前方及び上下に開口し、その前方開口は前面板４５で塞がれている。前面板４５の長手方向の略中間部位で、かつ一方の長辺側に寄った部位には、シロッコファン４３や静電霧化装置８のＯＮ／ＯＦＦ操作や風量調整等をするための操作部４８が設けられている（図３参照）。
ここで、収納スペース５内に臭いや湿度を感知するセンサー（不図示）を設け、この操作部４８にその感知状況を表示するようにしてもよい。また感知状況に応じてシロッコファン４３や静電霧化装置８のＯＮ／ＯＦＦを手動、または自動で切換えるようにしてもよい。
【００２５】
以上の構成によれば、仕切壁３を構成する引き戸を開閉するだけで、仕切壁３で仕切られた収納スペース５と玄関スペース６とをひとつの脱臭装置４で脱臭することができる。
また上述のように送風方向をルーバー９によって、可変自在とすれば、脱臭装置４で脱臭された空気を効果的に収納スペース５または玄関スペース６に行き渡らせることができる。
さらに上述のように静電霧化装置８を備えたものとすれば、排気される空気によって収納スペース５に収納された衣服の表面や収納スペース５及び玄関スペース６の細部に付着した臭いを除去することができ、除菌効果、ウィルスを無力化させることも期待できる。
【００２６】
次に図５を参照しながら、第２の実施形態について説明する。
上述の実施形態と共通する部分には共通の符号を付し、共通する部分の説明は割愛する。
ここに示す実施形態は、脱臭装置４に設けられた排気口４０と対向する仕切壁３の部位に設けられた開口部３０が上述の例とは異なる例を示している。仕切壁３に形成された略方形の開口窓を開口部３０としている。その他、脱臭装置４の構成などは上述と同様である。
上述の実施形態は、仕切壁３を構成する引き戸を開閉して開口部３０の開閉を行なうが、これによれば、引き戸が閉じられた状態でも、玄関スペース６側へ排気口４０から排気される脱臭された空気を送り込むことができる。よって、脱臭装置４を露出させることなく玄関スペース６の脱臭ができ、玄関まわりをすっきり構成することができる。
ここでは図示していないが、開口部３０は開閉自在に構成されており、例えば左右にスライドする板体で開口部３０を開閉させるようにしてもよいし、ルーバーで開閉自在としてもよい。
これによれば、例えば開口部３０の開閉を上述したようなセンサーの感知状況に応じて自動制御するようにしてもよい。
【００２７】
なお、本実施形態では、収納装置１を玄関空間に適用した例について説明したが、これに限定されず、もちろんリビングや寝室などの居室空間に適用することができる。なお、静電霧化装置８の設置箇所は図例に限定されるものではない。
【符号の説明】
【００２８】
１      収納装置
２      一壁面
３      仕切壁
３０      開口部
３１      通気開口
４      脱臭装置
４０    排気口
４１      吸気口
５      収納スペース
８      静電霧化装置
９      送風方向切換手段
【図１】
0005594679.tif 000002
【図２】
0005594679.tif 000003
【図３】
0005594679.tif 000004
【図４】
0005594679.tif 000005
【図５】
0005594679.tif 000006